【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
基地局のワイヤレス通信のための方法であって、
前記基地局によってサービスされるユーザ機器（ＵＥ）のために構成された複数のコンポーネントキャリアのうちの複数の時分割複信（ＴＤＤ）コンポーネントキャリアを決定することと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送ることと、
前記複数のコンポーネントキャリアのうちの少なくとも１つ上でデータを前記ＵＥと交換することとを備える、方法。
【請求項２】
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定することと、
前記有効アップリンク：ダウンリンク区分に基づいて、データ送信のためにその中で前記ＵＥをスケジュールすべきサブフレームを決定することと、
前記決定されたサブフレーム中でリソース許可を送ることとをさらに備える、請求項１に記載の方法。
【請求項３】
前記リソース許可がダウンリンクデータのための許可を備え、前記ＵＥによるＡＣＫ／ＮＡＣＫフィードバックのためのアップリンクサブフレームを決定することをさらに備え、前記ＡＣＫ／ＮＡＣＫフィードバックが前記データ送信に関連する、請求項２に記載の方法。
【請求項４】
前記複数のコンポーネントキャリアが周波数分割複信（ＦＤＤ）コンポーネントキャリアを備え、前記方法は、
アップリンクサブフレームがＴＤＤコンポーネントキャリア上で利用可能であるとき、前記ＴＤＤコンポーネントキャリア上で前記ＡＣＫ／ＮＡＣＫフィードバックを受信することと、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信することとをさらに備える、請求項３に記載の方法。
【請求項５】
前記複数のコンポーネントキャリアが周波数分割複信（ＦＤＤ）コンポーネントキャリアを備え、前記方法は、
前記ＦＤＤコンポーネントキャリア上で前記リソース許可を送ることと、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信することとをさらに備える、請求項２に記載の方法。
【請求項６】
前記ＵＥからの前記アップリンク信号が、前記ダウンリンクデータ送信の送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、請求項５に記載の方法。
【請求項７】
前記複数のコンポーネントキャリアが周波数分割複信（ＦＤＤ）コンポーネントキャリアを備え、前記方法は、
前記ＦＤＤコンポーネントキャリア上で前記リソース許可を送ることと、ここにおいて、前記リソース許可が前記ＴＤＤコンポーネントキャリア上でのアップリンクデータのための許可を備える、
アップリンクデータを受信することと、
前記アップリンクデータに応答して、前記有効アップリンクダウンリンク区分に従って決定されたサブフレーム中で、前記基地局からダウンリンク信号を送ることとを備える、請求項２に記載の方法。
【請求項８】
前記基地局からの前記ダウンリンク信号が、前記アップリンクデータ送信の送信に関連するＡＣＫ／ＮＡＣＫフィードバックを備える、請求項７に記載の方法。
【請求項９】
前記近隣基地局における少なくとも１つのＴＤＤコンポーネントキャリアの前記アップリンク：ダウンリンク構成の変更に従って前記有効アップリンク：ダウンリンク区分を更新することをさらに備える、請求項２に記載の方法。
【請求項１０】
サブフレームを決定することが、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択することを備える、請求項２に記載の方法。
【請求項１１】
前記１次コンポーネントキャリアが構成可能なアップリンク：ダウンリンク構成を有し、前記第１のセルにおける前記１次コンポーネントキャリアの前記アップリンク：ダウンリンク構成を、前記近隣基地局の前記１次コンポーネントキャリアの前記アップリンク：ダウンリンク構成と同期させることをさらに備える、請求項１に記載の方法。
【請求項１２】
前記第１のセルによってサービスされる１つまたは複数のＵＥとデータを交換するためのターゲット有効アップリンク：ダウンリンク区分を決定することと、
前記決定することの結果に少なくとも部分的に基づいて前記２次コンポーネントキャリアのアップリンク：ダウンリンク構成を調整することとをさらに備える、請求項１に記載の方法。
【請求項１３】
前記ＵＥによって観測され、前記基地局と前記近隣基地局とにおいて異なるアップリンク：ダウンリンク構成を有する前記２次コンポーネントキャリアから生じるセル間干渉の測度を決定することと、
前記決定された測度に基づいて前記１次コンポーネントキャリアと前記２次コンポーネントキャリアとのうちの１つ上で前記ＵＥをスケジュールすることとをさらに備える、請求項１に記載の方法。
【請求項１４】
前記決定された測度が強いセル間干渉に対応するとき、前記ＵＥが前記１次コンポーネントキャリア上でスケジュールされる、請求項１３に記載の方法。
【請求項１５】
前記決定された測度が強いセル間干渉に対応しないとき、前記ＵＥが前記２次コンポーネントキャリア上でスケジュールされる、請求項１３に記載の方法。
【請求項１６】
前記ＵＥから第１のチャネル状態情報（ＣＳＩ）報告を受信することと、前記第１のＣＳＩ報告が第１のサブフレームタイプのための前記２次コンポーネントキャリアのためのものであり、ここにおいて、前記第１のサブフレームタイプのサブフレームが前記近隣基地局によってサービスされるＵＥから干渉を受けない、
前記第１のＣＳＩ報告に基づいて前記第１のサブフレームタイプのサブフレーム中の前記２次コンポーネントキャリア上で前記ＵＥをスケジュールすることとをさらに備える、請求項１３に記載の方法。
【請求項１７】
前記ＵＥから第２のＣＳＩ報告を受信することと、前記第２のＣＳＩ報告が前記ＵＥからの第２のサブフレームタイプのための前記２次コンポーネントキャリアのためのものであり、ここにおいて、前記第２のサブフレームタイプのサブフレームが前記近隣基地局によってサービスされる前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールすることとをさらに備える、請求項１６に記載の方法。
【請求項１８】
装置によってサービスされるユーザ機器（ＵＥ）のために構成された複数のコンポーネントキャリアのうちの複数の時分割複信（ＴＤＤ）コンポーネントキャリアを決定するための手段と、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送るための手段と、
前記複数のコンポーネントキャリアのうちの少なくとも１つ上でデータを前記ＵＥと交換するための手段とを備える、ワイヤレス通信システム中の基地局のための装置。
【請求項１９】
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定するための手段と、
前記有効アップリンク：ダウンリンク区分に基づいて、データ送信のためにその中で前記ＵＥをスケジュールすべきサブフレームを決定するための手段と、
前記決定されたサブフレーム中でリソース許可を送るための手段とをさらに備える、請求項１８に記載の装置。
【請求項２０】
前記リソース許可がダウンリンクデータのための許可を備え、前記ＵＥによるＡＣＫ／ＮＡＣＫフィードバックのためのアップリンクサブフレームを決定するための手段をさらに備え、前記ＡＣＫ／ＮＡＣＫフィードバックが前記データ送信に関連する、請求項１９に記載の装置。
【請求項２１】
前記複数のコンポーネントキャリアが周波数分割複信（ＦＤＤ）コンポーネントキャリアを備え、前記装置は、
アップリンクサブフレームがＴＤＤコンポーネントキャリア上で利用可能であるとき、前記ＴＤＤコンポーネントキャリア上で前記ＡＣＫ／ＮＡＣＫフィードバックを受信するための手段と、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信するための手段とをさらに備える、請求項２０に記載の装置。
【請求項２２】
前記複数のコンポーネントキャリアが周波数分割複信（ＦＤＤ）コンポーネントキャリアを備え、前記装置は、
前記ＦＤＤコンポーネントキャリア上で前記リソース許可を送るための手段と、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信するための手段とをさらに備える、請求項１９に記載の装置。
【請求項２３】
前記ＵＥからの前記アップリンク信号が、前記ダウンリンクデータ送信の送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、請求項２２に記載の装置。
【請求項２４】
前記複数のコンポーネントキャリアが周波数分割複信（ＦＤＤ）コンポーネントキャリアを備え、前記装置は、
前記ＦＤＤコンポーネントキャリア上で前記リソース許可を送るための手段と、ここにおいて、前記リソース許可が前記ＴＤＤコンポーネントキャリア上でのアップリンクデータのための許可を備える、
アップリンクデータを受信するための手段と、
前記アップリンクデータに応答して、前記有効アップリンク：ダウンリンク区分に従って決定されたサブフレーム中で、前記基地局からダウンリンク信号を送るための手段とを備える、請求項１９に記載の装置。
【請求項２５】
前記基地局からの前記ダウンリンク信号が、アップリンクデータ送信の送信に関連するＡＣＫ／ＮＡＣＫフィードバックを備える、請求項２４に記載の装置。
【請求項２６】
前記近隣基地局における少なくとも１つのＴＤＤコンポーネントキャリアの前記アップリンク：ダウンリンク構成の変更に従って、前記有効アップリンク：ダウンリンク区分を更新するための手段をさらに備える、請求項１９に記載の装置。
【請求項２７】
サブフレームを決定するための前記手段が、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択するように構成された、請求項１９に記載の装置。
【請求項２８】
前記１次コンポーネントキャリアが構成可能なアップリンク：ダウンリンク構成を有し、前記第１のセルにおける前記１次コンポーネントキャリアの前記アップリンク：ダウンリンク構成を前記近隣基地局の前記１次コンポーネントキャリアの前記アップリンク：ダウンリンク構成と同期させるための手段をさらに備える、請求項１８に記載の装置。
【請求項２９】
前記第１のセルによってサービスされる１つまたは複数のＵＥとデータを交換するためのターゲット有効アップリンク：ダウンリンク区分を決定するための手段と、
前記決定することの結果に少なくとも部分的に基づいて前記２次コンポーネントキャリアのアップリンク：ダウンリンク構成を調整するための手段とをさらに備える、請求項１８に記載の装置。
【請求項３０】
前記ＵＥによって観測され、前記基地局と前記近隣基地局とにおいて異なるアップリンク：ダウンリンク構成を有する前記２次コンポーネントキャリアから生じるセル間干渉の測度を決定するための手段と、
前記決定された測度に基づいて前記１次コンポーネントキャリアと前記２次コンポーネントキャリアとのうちの１つ上で前記ＵＥをスケジュールするための手段とをさらに備える、請求項１８に記載の装置。
【請求項３１】
前記決定された測度が強いセル間干渉に対応するとき、前記ＵＥが前記１次コンポーネントキャリア上でスケジュールされる、請求項３０に記載の装置。
【請求項３２】
前記決定された測度が強いセル間干渉に対応しないとき、前記ＵＥが前記２次コンポーネントキャリア上でスケジュールされる、請求項３０に記載の装置。
【請求項３３】
前記ＵＥから第１のチャネル状態情報（ＣＳＩ）報告を受信するための手段と、前記第１のＣＳＩ報告が第１のサブフレームタイプのための前記２次コンポーネントキャリアのためのものであり、ここにおいて、前記第１のサブフレームタイプのサブフレームが前記近隣基地局によってサービスされるＵＥから干渉を受けない、
前記第１のＣＳＩ報告に基づいて前記第１のサブフレームタイプのサブフレーム中の前記２次コンポーネントキャリア上で前記ＵＥをスケジュールするための手段とをさらに備える、請求項３０に記載の装置。
【請求項３４】
前記ＵＥから第２のＣＳＩ報告を受信するための手段と、前記第２のＣＳＩ報告が前記ＵＥからの第２のサブフレームタイプのための前記２次コンポーネントキャリアのためのものであり、ここにおいて、前記第２のサブフレームタイプのサブフレームが前記近隣基地局によってサービスされる前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールするための手段とをさらに備える、請求項３３に記載の装置。
【請求項３５】
メモリと、
前記メモリに結合され、
装置によってサービスされるユーザ機器（ＵＥ）のために構成された複数のコンポーネントキャリアの複数の時分割複信（ＴＤＤ）コンポーネントキャリアを決定することと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送ることと、
前記複数のコンポーネントキャリアのうちの少なくとも１つ上でデータを前記ＵＥと交換することと
を行うように構成された処理システムとを備える、ワイヤレス通信システム中の基地局のための装置。
【請求項３６】
前記処理システムが、
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定することと、
前記有効アップリンク：ダウンリンク区分に基づいて、データ送信のためにその中で前記ＵＥをスケジュールすべきサブフレームを決定することと、
前記決定されたサブフレーム中でリソース許可を送ることとを行うようにさらに構成された、請求項３５に記載の装置。
【請求項３７】
前記リソース許可がダウンリンクデータのための許可を備え、前記処理システムが、前記ＵＥによるＡＣＫ／ＮＡＣＫフィードバックのためのアップリンクサブフレームを決定するようにさらに構成され、前記ＡＣＫ／ＮＡＣＫフィードバックが前記データ送信に関連する、請求項３６に記載の装置。
【請求項３８】
前記複数のコンポーネントキャリアが周波数分割複信（ＦＤＤ）コンポーネントキャリアを備え、前記処理システムは、
アップリンクサブフレームがＴＤＤコンポーネントキャリア上で利用可能であるとき、前記ＴＤＤコンポーネントキャリア上で前記ＡＣＫ／ＮＡＣＫフィードバックを受信することと、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信することとを行うようにさらに構成された、請求項３７に記載の装置。
【請求項３９】
前記複数のコンポーネントキャリアが周波数分割複信（ＦＤＤ）コンポーネントキャリアを備え、前記処理システムは、
前記ＦＤＤコンポーネントキャリア上で前記リソース許可を送ることと、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信することとを行うようにさらに構成された、請求項３６に記載の装置。
【請求項４０】
前記ＵＥからの前記アップリンク信号が、前記ダウンリンクデータ送信の送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、請求項３９に記載の装置。
【請求項４１】
前記複数のコンポーネントキャリアが周波数分割複信（ＦＤＤ）コンポーネントキャリアを備え、前記処理システムは、
前記ＦＤＤコンポーネントキャリア上で前記リソース許可を送ることと、ここにおいて、前記リソース許可が前記ＴＤＤコンポーネントキャリア上でのアップリンクデータのための許可を備える、
アップリンクデータを受信することと、
前記アップリンクデータに応答して、前記有効アップリンク：ダウンリンク区分に従って決定されたサブフレーム中で、前記基地局からダウンリンク信号を送ることとを行うように構成された、請求項３６に記載の装置。
【請求項４２】
前記基地局からの前記ダウンリンク信号が、前記アップリンクデータ送信の送信に関連するＡＣＫ／ＮＡＣＫフィードバックを備える、請求項４１に記載の装置。
【請求項４３】
前記処理システムが、前記近隣基地局における少なくとも１つのＴＤＤコンポーネントキャリアの前記アップリンク：ダウンリンク構成の変更に従って前記有効アップリンク：ダウンリンク区分を更新するようにさらに構成された、請求項３６に記載の装置。
【請求項４４】
前記処理システムが、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択するようにさらに構成された、請求項３６に記載の装置。
【請求項４５】
前記１次コンポーネントキャリアが構成可能なアップリンク：ダウンリンク構成を有し、前記処理システムが、前記第１のセルにおける前記１次コンポーネントキャリアの前記アップリンク：ダウンリンク構成を前記近隣基地局の前記１次コンポーネントキャリアの前記アップリンク：ダウンリンク構成と同期させるようにさらに構成された、請求項３５に記載の装置。
【請求項４６】
前記処理システムが、
前記第１のセルによってサービスされる１つまたは複数のＵＥとデータを交換するためのターゲット有効アップリンク：ダウンリンク区分を決定することと、
前記決定することの結果に少なくとも部分的に基づいて前記２次コンポーネントキャリアのアップリンク：ダウンリンク構成を調整することとを行うようにさらに構成された、請求項３５に記載の装置。
【請求項４７】
前記処理システムが、
前記ＵＥによって観測され、前記基地局と前記近隣基地局とにおいて異なるアップリンク：ダウンリンク構成を有する前記２次コンポーネントキャリアから生じるセル間干渉の測度を決定することと、
前記決定された測度に基づいて前記１次コンポーネントキャリアと前記２次コンポーネントキャリアとのうちの１つ上で前記ＵＥをスケジュールすることとを行うようにさらに構成された、請求項３５に記載の装置。
【請求項４８】
前記決定された測度が強いセル間干渉に対応するとき、前記ＵＥが前記１次コンポーネントキャリア上でスケジュールされる、請求項４７に記載の装置。
【請求項４９】
前記決定された測度が強いセル間干渉に対応しないとき、前記ＵＥが前記２次コンポーネントキャリア上でスケジュールされる、請求項４７に記載の装置。
【請求項５０】
前記処理システムは、
前記ＵＥから第１のチャネル状態情報（ＣＳＩ）報告を受信することと、前記第１のＣＳＩ報告が第１のサブフレームタイプのための前記２次コンポーネントキャリアのためのものであり、ここにおいて、前記第１のサブフレームタイプのサブフレームが前記近隣基地局によってサービスされるＵＥから干渉を受けない、
前記第１のＣＳＩ報告に基づいて前記第１のサブフレームタイプのサブフレーム中の前記２次コンポーネントキャリア上で前記ＵＥをスケジュールすることとを行うようにさらに構成された、請求項４７に記載の装置。
【請求項５１】
前記処理システムは、
前記ＵＥから第２のＣＳＩ報告を受信することと、前記第２のＣＳＩ報告が前記ＵＥからの第２のサブフレームタイプのための前記２次コンポーネントキャリアのためのものであり、ここにおいて、前記第２のサブフレームタイプのサブフレームが前記近隣基地局によってサービスされる前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールすることとを行うようにさらに構成された、請求項５０に記載の装置。
【請求項５２】
基地局によってサービスされるユーザ機器（ＵＥ）のために構成された複数のコンポーネントキャリアの複数の時分割複信（ＴＤＤ）コンポーネントキャリアを決定するためのコードと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送るためのコードと、
前記複数のコンポーネントキャリアのうちの少なくとも１つ上でデータを前記ＵＥと交換するためのコードとを備える非一時的なコンピュータ可読媒体。
【手続補正２】
【補正対象書類名】明細書
【補正対象項目名】０１３０
【補正方法】変更
【補正の内容】
【０１３０】
[00151]  以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られているかまたは後で知られることになる、本開示全体にわたって説明した様々な態様の要素へのすべての構造的または機能的均等物は、参照により本明細書に明確に組み込まれ、特許請求の範囲によって包含されることを意図される。その上、本明細書で開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
基地局のワイヤレス通信のための方法であって、
前記基地局によってサービスされるユーザ機器（ＵＥ）のために構成された複数の時分割複信（ＴＤＤ）コンポーネントキャリアを決定することと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送ることと、
前記複数のコンポーネントキャリアのうちの少なくとも１つ上でデータを前記ＵＥと交換することとを備える、方法。
［Ｃ２］
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定することと、
前記有効アップリンク：ダウンリンク区分に基づいて、データ送信のためにその中で前記ＵＥをスケジュールすべきサブフレームを決定することと、
前記決定されたサブフレーム中でリソース許可を送ることとをさらに備える、Ｃ１に記載の方法。
［Ｃ３］
前記リソース許可がダウンリンクデータのための許可を備え、前記ＵＥによるＡＣＫ／ＮＡＣＫフィードバックのためのアップリンクサブフレームを決定することをさらに備え、前記ＡＣＫ／ＮＡＣＫフィードバックが前記データ送信に関連する、Ｃ２に記載の方法。
［Ｃ４］
前記複数のコンポーネントキャリアが周波数分割複信（ＦＤＤ）コンポーネントキャリアを備え、前記方法は、
アップリンクサブフレームがＴＤＤコンポーネントキャリア上で利用可能であるとき、前記ＴＤＤコンポーネントキャリア上で前記ＡＣＫ／ＮＡＣＫフィードバックを受信することと、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信することとをさらに備える、Ｃ３に記載の方法。
［Ｃ５］
前記複数のコンポーネントキャリアが周波数分割複信（ＦＤＤ）コンポーネントキャリアを備え、前記方法は、
前記ＦＤＤコンポーネントキャリア上で前記リソース許可を送ることと、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信することとをさらに備える、Ｃ２に記載の方法。
［Ｃ６］
前記ＵＥからの前記アップリンク信号が、前記ダウンリンクデータ送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、Ｃ５に記載の方法。
［Ｃ７］
前記複数のコンポーネントキャリアが周波数分割複信（ＦＤＤ）コンポーネントキャリアを備え、前記方法は、
前記ＦＤＤコンポーネントキャリア上で前記リソース許可を送ることと、ここにおいて、前記リソース許可が前記ＴＤＤコンポーネントキャリア上でのアップリンクデータのための許可を備える、
アップリンクデータを受信することと、
前記アップリンクデータに応答して、前記有効アップリンクダウンリンク区分に従って決定されたサブフレーム中で、前記基地局からダウンリンク信号を送ることとを備える、Ｃ２に記載の方法。
［Ｃ８］
前記基地局からの前記ダウンリンク信号が、前記アップリンクデータ送信に関連するＡＣＫ／ＮＡＣＫフィードバックを備える、Ｃ７に記載の方法。
［Ｃ９］
前記ネイバーセルにおける少なくとも１つのＴＤＤコンポーネントキャリアの前記アップリンク：ダウンリンク構成の変更に従って前記有効アップリンク：ダウンリンク区分を更新することをさらに備える、Ｃ２に記載の方法。
［Ｃ１０］
前記１次コンポーネントキャリアが構成可能なアップリンク：ダウンリンク構成を有し、前記第１のセルにおける前記１次コンポーネントキャリアの前記アップリンク：ダウンリンク構成を、前記ネイバーセルの前記１次コンポーネントキャリアの前記アップリンク：ダウンリンク構成と同期させることをさらに備える、Ｃ１に記載の方法。
［Ｃ１１］
前記第１のセルによってサービスされる１つまたは複数のＵＥとデータを交換するためのターゲット有効アップリンク：ダウンリンク区分を決定することと、
前記決定することの結果に少なくとも部分的に基づいて前記２次コンポーネントキャリアのアップリンク：ダウンリンク構成を調整することとをさらに備える、Ｃ１に記載の方法。
［Ｃ１２］
前記ＵＥによって観測され、前記基地局と前記近隣基地局とにおいて異なるアップリンク：ダウンリンク構成を有する前記２次コンポーネントキャリアから生じるセル間干渉の測度を決定することと、
前記決定された測度に基づいて前記１次コンポーネントキャリアと前記２次コンポーネントキャリアとのうちの１つ上で前記ＵＥをスケジュールすることとをさらに備える、Ｃ１に記載の方法。
［Ｃ１３］
前記決定された測度が強いセル間干渉に対応するとき、前記ＵＥが前記１次コンポーネントキャリア上でスケジュールされる、Ｃ１２に記載の方法。
［Ｃ１４］
前記決定された測度が強いセル間干渉に対応しないとき、前記ＵＥが前記２次コンポーネントキャリア上でスケジュールされる、Ｃ１２に記載の方法。
［Ｃ１５］
前記ＵＥから第１のチャネル状態情報（ＣＳＩ）報告を受信することと、前記第１のＣＳＩ報告が第１のサブフレームタイプのための前記２次コンポーネントキャリアのためのものであり、ここにおいて、前記第１のサブフレームタイプのサブフレームが前記ネイバーセル中のＵＥから干渉を受けない、
前記ＣＳＩ報告に基づいて前記第１のサブフレームタイプのサブフレーム中の前記２次コンポーネントキャリア上で前記ＵＥをスケジュールすることとをさらに備える、Ｃ１２に記載の方法。
［Ｃ１６］
前記ＵＥから第２のＣＳＩ報告を受信することと、前記第２の報告が前記ＵＥからの第２のサブフレームタイプのための前記２次コンポーネントキャリアのためのものであり、ここにおいて、前記第２のサブフレームタイプのサブフレームが前記ネイバーセル中の前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールすることとをさらに備える、Ｃ１５に記載の方法。
［Ｃ１７］
サブフレームを決定することが、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択することを備える、Ｃ２に記載の方法。
［Ｃ１８］
基地局によってサービスされるユーザ機器（ＵＥ）のために構成された複数の時分割複信（ＴＤＤ）コンポーネントキャリアを決定するための手段と、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送るための手段と、
前記複数のコンポーネントキャリアのうちの少なくとも１つ上でデータを前記ＵＥと交換するための手段とを備える、ワイヤレス通信のための装置。
［Ｃ１９］
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定するための手段と、
前記有効アップリンク：ダウンリンク区分に基づいて、データ送信のためにその中で前記ＵＥをスケジュールすべきサブフレームを決定するための手段と、
前記決定されたサブフレーム中でリソース許可を送るための手段とをさらに備える、Ｃ１８に記載の装置。
［Ｃ２０］
前記リソース許可がダウンリンクデータのための許可を備え、前記ＵＥによるＡＣＫ／ＮＡＣＫフィードバックのためのアップリンクサブフレームを決定するための手段をさらに備え、前記ＡＣＫ／ＮＡＣＫフィードバックが前記データ送信に関連する、Ｃ１９に記載の装置。
［Ｃ２１］
前記複数のコンポーネントキャリアが周波数分割複信（ＦＤＤ）コンポーネントキャリアを備え、前記装置は、
ＴＤＤコンポーネントキャリア上でアップリンクサブフレームが利用可能であるとき、前記ＴＤＤコンポーネントキャリア上で前記ＡＣＫ／ＮＡＣＫフィードバックを受信するための手段と、
前記ＴＤＤコンポーネントキャリア上でアップリンクサブフレームが利用可能でないとき、前記ＦＤＤコンポーネントキャリア上で前記ＡＣＫ／ＮＡＣＫフィードバックを受信するための手段とをさらに備える、Ｃ２０に記載の装置。
［Ｃ２２］
前記複数のコンポーネントキャリアが周波数分割複信（ＦＤＤ）コンポーネントキャリアを備え、前記装置は、
前記ＦＤＤコンポーネントキャリア上で前記リソース許可を送るための手段と、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信するための手段とをさらに備える、Ｃ１９に記載の装置。
［Ｃ２３］
前記ＵＥからの前記アップリンク信号が、前記ダウンリンクデータ送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、Ｃ２２に記載の装置。
［Ｃ２４］
前記複数のコンポーネントキャリアが周波数分割複信（ＦＤＤ）コンポーネントキャリアを備え、前記装置は、
前記ＦＤＤコンポーネントキャリア上で前記リソース許可を送るための手段と、ここにおいて、前記リソース許可が前記ＴＤＤコンポーネントキャリア上でのアップリンクデータのための許可を備える、
アップリンクデータを受信するための手段と、
前記アップリンクデータに応答して、前記有効アップリンクダウンリンク区分に従って決定されたサブフレーム中で、前記基地局からダウンリンク信号を送るための手段とを備える、Ｃ１９に記載の装置。
［Ｃ２５］
前記基地局からの前記ダウンリンク信号が、前記アップリンクデータ送信に関連するＡＣＫ／ＮＡＣＫフィードバックを備える、Ｃ２４に記載の装置。
［Ｃ２６］
前記ネイバーセルにおける少なくとも１つのＴＤＤコンポーネントキャリアの前記アップリンク：ダウンリンク構成の変更に従って、前記有効アップリンク：ダウンリンク区分を更新するための手段をさらに備える、Ｃ１９に記載の装置。
［Ｃ２７］
前記１次コンポーネントキャリアが構成可能なアップリンク：ダウンリンク構成を有し、前記第１のセルにおける前記１次コンポーネントキャリアの前記アップリンク：ダウンリンク構成を前記ネイバーセルの前記１次コンポーネントキャリアの前記アップリンク：ダウンリンク構成と同期させるための手段をさらに備える、Ｃ１８に記載の装置。
［Ｃ２８］
前記第１のセルによってサービスされる１つまたは複数のＵＥとデータを交換するためのターゲット有効アップリンク：ダウンリンク区分を決定するための手段と、
前記決定することの結果に少なくとも部分的に基づいて前記２次コンポーネントキャリアのアップリンク：ダウンリンク構成を調整するための手段とをさらに備える、Ｃ１８に記載の装置。
［Ｃ２９］
前記ＵＥによって観測され、前記基地局と前記近隣基地局とにおいて異なるアップリンク：ダウンリンク構成を有する前記２次コンポーネントキャリアから生じるセル間干渉の測度を決定するための手段と、
前記決定された測度に基づいて前記１次コンポーネントキャリアと前記２次コンポーネントキャリアとのうちの１つ上で前記ＵＥをスケジュールするための手段とをさらに備える、Ｃ１８に記載の装置。
［Ｃ３０］
前記決定された測度が強いセル間干渉に対応するとき、前記ＵＥが前記１次コンポーネントキャリア上でスケジュールされる、Ｃ２９に記載の装置。
［Ｃ３１］
前記決定された測度が強いセル間干渉に対応しないとき、前記ＵＥが前記２次コンポーネントキャリア上でスケジュールされる、Ｃ２９に記載の装置。
［Ｃ３２］
前記ＵＥから第１のチャネル状態情報（ＣＳＩ）報告を受信するための手段と、前記第１のＣＳＩ報告が第１のサブフレームタイプのための前記２次コンポーネントキャリアのためのものであり、ここにおいて、前記第１のサブフレームタイプのサブフレームが前記ネイバーセル中のＵＥから干渉を受けない、
前記ＣＳＩ報告に基づいて前記第１のサブフレームタイプのサブフレーム中の前記２次コンポーネントキャリア上で前記ＵＥをスケジュールするための手段とをさらに備える、Ｃ２９に記載の装置。
［Ｃ３３］
前記ＵＥから第２のＣＳＩ報告を受信するための手段と、前記第２の報告が前記ＵＥからの第２のサブフレームタイプのための前記２次コンポーネントキャリアのためのものであり、ここにおいて、前記第２のサブフレームタイプのサブフレームが前記ネイバーセル中の前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールするための手段とをさらに備える、Ｃ３２に記載の装置。
［Ｃ３４］
サブフレームを決定するための前記手段が、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択するように構成された、Ｃ１９に記載の装置。
［Ｃ３５］
メモリと、
前記メモリに結合され、
前記基地局によってサービスされるユーザ機器（ＵＥ）のために構成された複数の時分割複信（ＴＤＤ）コンポーネントキャリアを決定することと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送ることと、
前記複数のコンポーネントキャリアのうちの少なくとも１つ上でデータを前記ＵＥと交換することと
を行うように構成された処理システムとを備える、ワイヤレス通信のための装置。
［Ｃ３６］
前記処理システムが、
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定することと、
前記有効アップリンク：ダウンリンク区分に基づいて、データ送信のためにその中で前記ＵＥをスケジュールすべきサブフレームを決定することと、
前記決定されたサブフレーム中でリソース許可を送ることとを行うようにさらに構成された、Ｃ３５に記載の装置。
［Ｃ３７］
前記リソース許可がダウンリンクデータのための許可を備え、前記処理システムが、前記ＵＥによるＡＣＫ／ＮＡＣＫフィードバックのためのアップリンクサブフレームを決定するようにさらに構成され、前記ＡＣＫ／ＮＡＣＫフィードバックが前記データ送信に関連する、Ｃ３６に記載の装置。
［Ｃ３８］
前記複数のコンポーネントキャリアが周波数分割複信（ＦＤＤ）コンポーネントキャリアを備え、前記処理システムは、
アップリンクサブフレームがＴＤＤコンポーネントキャリア上で利用可能であるとき、前記ＴＤＤコンポーネントキャリア上で前記ＡＣＫ／ＮＡＣＫフィードバックを受信することと、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信することとを行うようにさらに構成された、Ｃ３７に記載の装置。
［Ｃ３９］
前記複数のコンポーネントキャリアが周波数分割複信（ＦＤＤ）コンポーネントキャリアを備え、前記処理システムは、
前記ＦＤＤコンポーネントキャリア上で前記リソース許可を送ることと、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信することとを行うようにさらに構成された、Ｃ３６に記載の装置。
［Ｃ４０］
前記ＵＥからの前記アップリンク信号が、前記ダウンリンクデータ送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、Ｃ３９に記載の装置。
［Ｃ４１］
前記複数のコンポーネントキャリアが周波数分割複信（ＦＤＤ）コンポーネントキャリアを備え、前記処理システムは、
前記ＦＤＤコンポーネントキャリア上で前記リソース許可を送ることと、ここにおいて、前記リソース許可が前記ＴＤＤコンポーネントキャリア上でのアップリンクデータのための許可を備える、
アップリンクデータを受信することと、
前記アップリンクデータに応答して、前記有効アップリンクダウンリンク区分に従って決定されたサブフレーム中で、前記基地局からダウンリンク信号を送ることとを行うように構成された、Ｃ３６に記載の装置。
［Ｃ４２］
前記基地局からの前記ダウンリンク信号が、前記アップリンクデータ送信に関連するＡＣＫ／ＮＡＣＫフィードバックを備える、Ｃ４１に記載の装置。
［Ｃ４３］
前記処理システムが、前記ネイバーセルにおける少なくとも１つのＴＤＤコンポーネントキャリアの前記アップリンク：ダウンリンク構成の変更に従って前記有効アップリンク：ダウンリンク区分を更新するようにさらに構成された、Ｃ３６に記載の装置。
［Ｃ４４］
前記１次コンポーネントキャリアが構成可能なアップリンク：ダウンリンク構成を有し、前記処理システムが、前記第１のセルにおける前記１次コンポーネントキャリアの前記アップリンク：ダウンリンク構成を前記ネイバーセルの前記１次コンポーネントキャリアの前記アップリンク：ダウンリンク構成と同期させるようにさらに構成された、Ｃ３５に記載の装置。
［Ｃ４５］
前記処理システムが、
前記第１のセルによってサービスされる１つまたは複数のＵＥとデータを交換するためのターゲット有効アップリンク：ダウンリンク区分を決定することと、
前記決定することの結果に少なくとも部分的に基づいて前記２次コンポーネントキャリアのアップリンク：ダウンリンク構成を調整することとを行うようにさらに構成された、Ｃ３５に記載の装置。
［Ｃ４６］
前記処理システムが、
前記ＵＥによって観測され、前記基地局と前記近隣基地局とにおいて異なるアップリンク：ダウンリンク構成を有する前記２次コンポーネントキャリアから生じるセル間干渉の測度を決定することと、
前記決定された測度に基づいて前記１次コンポーネントキャリアと前記２次コンポーネントキャリアとのうちの１つ上で前記ＵＥをスケジュールすることとを行うようにさらに構成された、Ｃ３５に記載の装置。
［Ｃ４７］
前記決定された測度が強いセル間干渉に対応するとき、前記ＵＥが前記１次コンポーネントキャリア上でスケジュールされる、Ｃ４６に記載の装置。
［Ｃ４８］
前記決定された測度が強いセル間干渉に対応しないとき、前記ＵＥが前記２次コンポーネントキャリア上でスケジュールされる、Ｃ４６に記載の装置。
［Ｃ４９］
前記処理システムは、
前記ＵＥから第１のチャネル状態情報（ＣＳＩ）報告を受信することと、前記第１のＣＳＩ報告が第１のサブフレームタイプのための前記２次コンポーネントキャリアのためのものであり、ここにおいて、前記第１のサブフレームタイプのサブフレームが前記ネイバーセル中のＵＥから干渉を受けない、
前記ＣＳＩ報告に基づいて前記第１のサブフレームタイプのサブフレーム中の前記２次コンポーネントキャリア上で前記ＵＥをスケジュールすることとを行うようにさらに構成された、Ｃ４６に記載の装置。
［Ｃ５０］
前記処理システムは、
前記ＵＥから第２のＣＳＩ報告を受信することと、前記第２の報告が前記ＵＥからの第２のサブフレームタイプのための前記２次コンポーネントキャリアのためのものであり、ここにおいて、前記第２のサブフレームタイプのサブフレームが前記ネイバーセル中の前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールすることとを行うようにさらに構成された、Ｃ４９に記載の装置。
［Ｃ５１］
前記処理システムが、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択するようにさらに構成された、Ｃ３６に記載の装置。
［Ｃ５２］
前記基地局によってサービスされるユーザ機器（ＵＥ）のために構成された複数の時分割複信（ＴＤＤ）コンポーネントキャリアを決定するためのコードと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送るためのコードと、
前記複数のコンポーネントキャリアのうちの少なくとも１つ上でデータを前記ＵＥと交換するためのコードとを備えるコンピュータ可読媒体を備える、コンピュータプログラム製品。